(57)【特許請求の範囲】
【請求項１】
複数項目に対応する出力結果から成る出力データを表示する第１の画面と、複数の検索項目に対応する検索条件を入力する第２の画面とを表示制御する情報処理装置であって、
入力する検索条件に対応する検索項目を管理する管理手段と、
前記第１の画面に表示された出力データの選択を受け付ける受付手段と、
前記第２の画面で検索条件を入力する複数の検索項目の内、前記管理手段にて管理されている検索項目に従って、前記選択された出力データ内の項目と一致する検索項目を決定する検索項目決定手段と、
前記決定された検索項目と項目が一致する、前記選択された出力データ内の項目の出力結果を、前記第２の画面の検索項目に入力すべき検索条件として設定する検索条件設定手段と、
を備えることを特徴とする情報処理装置。
【請求項２】
前記管理手段は、前記出力データの種別ごとに、入力する検索条件に対応する検索項目を管理し、
前記検索項目決定手段は、前記第１の画面で選択された出力データの種別に応じて、前記管理手段にて管理されている検索項目を決定し、前記第１の画面に表示された前記選択された出力データ内の項目と項目名が一致する検索項目を、前記第２の画面で検索条件の設定を受け付ける検索項目として決定する
ことを特徴とする請求項１に記載の情報処理装置。
【請求項３】
前記管理手段は、ユーザごとに、入力する検索条件に対応する検索項目を管理し、
前記検索項目決定手段は、前記ユーザに応じて、前記管理手段にて管理されている検索項目を決定し、前記第１の画面に表示された前記選択された出力データ内の項目と項目名が一致する検索項目を、前記第２の画面で検索条件の設定を受け付ける検索項目として決定する
ことを特徴とする請求項１または２に記載の情報処理装置。
【請求項４】
検索条件設定を無効化する指示を受け付ける無効化受付手段を備え、
前記検索条件設定手段は、前記無効化受付手段により前記無効化する指示を受け付けた場合に、前記第２の画面で前記検索項目に対して検索条件の設定を受け付けない
ことを特徴とする請求項１〜３のいずれか１項に記載の情報処理装置。
【請求項５】
複数項目対応する出力結果から成る出力データを表示する第１の画面と、複数の検索項目に対応する検索条件を入力する第２の画面とを表示制御し、入力する検索条件に対応する検索項目を管理する管理手段を備える情報処理装置の制御方法であって、
受付手段が、前記第１の画面に表示された出力データの選択を受け付ける受付ステップと、
検索項目決定手段が、前記第２の画面で検索条件を入力する複数の検索項目の内、前記管理手段にて管理されている検索項目に従って、前記選択された出力データ内の項目と一致する検索項目を決定する検索項目決定ステップと、
検索条件設定手段が、前記決定された検索項目と項目が一致する、前記選択された出力データ内の項目の出力結果を、前記第２の画面の検索項目に入力すべき検索条件として設定する検索条件設定ステップと、
を備えることを特徴とする情報処理装置の制御方法。
【請求項６】
複数項目に対応する出力結果から成る出力データを表示する第１の画面と、複数の検索項目に対応する検索条件を入力する第２の画面とを表示制御する情報処理装置において実行可能なプログラムであって、
前記情報処理装置を、
入力する検索条件に対応する検索項目を管理する管理手段と、
前記第１の画面に表示された出力データの選択を受け付ける受付手段と、
前記第２の画面で検索条件を入力する複数の検索項目の内、前記管理手段にて管理されている検索項目に従って、前記選択された出力データ内の項目と一致する検索項目を決定する検索項目決定手段と、
前記決定された検索項目と項目が一致する、前記選択された出力データ内の項目の出力結果を、前記第２の画面の検索項目に入力すべき検索条件として設定する検索条件設定手段
として機能させるためのプログラム。
【発明の詳細な説明】
【技術分野】
【０００１】
本発明は、複数の検索画面を表示する場合に、検索条件を効率的に入力する技術に関する。
【背景技術】
【０００２】
ＥＤＩ（電子商取引）を実施している企業では、データ交換のためにＥＤＩ通信処理装置を使用している。そのＥＤＩ通信処理装置では、通常、設定や履歴参照のための画面を有し、画面には、多数の情報に効率よくアクセスするために検索機能がある。一覧画面で検索機能を使用して情報を絞り込み、特定した情報の詳細画面を開いて、設定を更新したり履歴の詳細内容を参照したりすることが一般的である。また、通信で何らかのエラーが発生した場合は、その原因の特定のため、履歴画面・設定画面など、複数の画面を参照して情報を収集する必要があるケースが多い。
【０００３】
上記のように複数の画面を参照する際に、各画面で効率的に検索条件を入力する仕組みが提案されている。
【０００４】
特許文献１では、画面遷移の際に、遷移前後の画面で共通の検索条件を引き継ぐ技術が開示されている。
【先行技術文献】
【特許文献】
【０００５】
【特許文献１】特開２００７−１８４３５号公報
【発明の概要】
【発明が解決しようとする課題】
【０００６】
しかし、前記特許文献１の技術では、遷移前後の画面の種類に関わらず共通の検索条件が存在すれば検索条件が引き継がれるため、遷移後の画面で本来必要としなかった検索条件が設定されてしまう可能性がある。例えば、前記ＥＤＩ通信処理装置のケースでは、ある履歴画面では検索条件に「送信元アドレス」が必要だが、別の履歴画面では検索条件として「送信元アドレス」を外して検索したい場合があり、共通の検索条件であっても引き継ぐことは不要となる。
【０００７】
また、ある画面にて特定したデータに基づいて、他の画面において検索条件を設定して情報検索する場合に、データの内容や画面の種類によってデータから値を引き継いで検索条件を設定した方がよい場合と、そうでない場合がある。
【０００８】
そこで本発明では、検索画面を表示する際に、適切な検索条件を設定することができる仕組みを提供することを目的とする。
【課題を解決するための手段】
【０００９】
本発明の情報処理装置は、複数項目に対応する出力結果から成る出力データを表示する第１の画面と、複数の検索項目に対応する検索条件を入力する第２の画面とを表示制御する情報処理装置であって、入力する検索条件に対応する検索項目を管理する管理手段と、前記第１の画面に表示された出力データの選択を受け付ける受付手段と、前記第２の画面で検索条件を入力する複数の検索項目の内、前記管理手段にて管理されている検索項目に従って、前記選択された出力データ内の項目と一致する検索項目を決定する検索項目決定手段と、前記決定された検索項目と項目が一致する、前記選択された出力データ内の項目の出力結果を、前記第２の画面の検索項目に入力すべき検索条件として設定する検索条件設定手段と、を備えることを特徴とする。
【００１０】
本発明の制御方法は、複数項目対応する出力結果から成る出力データを表示する第１の画面と、複数の検索項目に対応する検索条件を入力する第２の画面とを表示制御し、入力する検索条件に対応する検索項目を管理する管理手段を備える情報処理装置の制御方法であって、受付手段が、前記第１の画面に表示された出力データの選択を受け付ける受付ステップと、検索項目決定手段が、前記第２の画面で検索条件を入力する複数の検索項目の内、前記管理手段にて管理されている検索項目に従って、前記選択された出力データ内の項目と一致する検索項目を決定する検索項目決定ステップと、検索条件設定手段が、前記決定された検索項目と項目が一致する、前記選択された出力データ内の項目の出力結果を、前記第２の画面の検索項目に入力すべき検索条件として設定する検索条件設定ステップと、を備えることを特徴とする。
【００１１】
本発明のプログラムは、複数項目に対応する出力結果から成る出力データを表示する第１の画面と、複数の検索項目に対応する検索条件を入力する第２の画面とを表示制御する情報処理装置において実行可能なプログラムであって、前記情報処理装置を、入力する検索条件に対応する検索項目を管理する管理手段と、前記第１の画面に表示された出力データの選択を受け付ける受付手段と、前記第２の画面で検索条件を入力する複数の検索項目の内、前記管理手段にて管理されている検索項目に従って、前記選択された出力データ内の項目と一致する検索項目を決定する検索項目決定手段と、前記決定された検索項目と項目が一致する、前記選択された出力データ内の項目の出力結果を、前記第２の画面の検索項目に入力すべき検索条件として設定する検索条件設定手段として機能させるためのプログラムである。
【発明の効果】
【００１２】
本発明によると、検索画面を表示する際に、適切な検索条件を設定することができるようになる。
【図面の簡単な説明】
【００１３】
【図１】本発明の実施形態における、ＥＤＩ通信処理システムの構成の一例を示す図である。
【図２】本発明の実施形態における、ＥＤＩ通信処理システムのハードウェア構成の一例を示す図である。
【図３】本発明の実施形態における、ＥＤＩ通信処理システムの機能構成の一例を示す図である。
【図４】本発明の実施形態における、ＥＤＩ通信処理システムの通信実行履歴画面における履歴追跡処理フローを示す図である。
【図５】本発明の実施形態における、ＥＤＩ通信処理システムの通信実行履歴画面における検索値ロック処理フローを示す図である。
【図６】本発明の実施形態における、ＥＤＩ通信処理システムの任意の一覧画面の表示処理フローを示す図（１／３）である。
【図７】本発明の実施形態における、ＥＤＩ通信処理システムの任意の一覧画面の表示処理フローを示す図（２／３）である。
【図８】本発明の実施形態における、ＥＤＩ通信処理システムの任意の一覧画面の表示処理フローを示す図（３／３）である。
【図９】本発明の実施形態における、ＥＤＩ通信処理システムの任意の一覧画面の検索値ロック解除処理フローを示す図である。
【図１０】本発明の実施形態における、ＥＤＩ通信処理システムの通信実行履歴を登録しておくテーブルの一例を示す図である。
【図１１】本発明の実施形態における、ＥＤＩ通信処理システムの検索ロック値を登録しておくテーブルの一例を示す図である。
【図１２】本発明の実施形態における、ＥＤＩ通信処理システムの通信処理結果ＩＤのマスタ情報を登録しておくテーブルの一例を示す図である。
【図１３】本発明の実施形態における、ＥＤＩ通信処理システムの検索ロック対象のマスタ情報を登録しておくテーブルの一例を示す図である。
【図１４】本発明の実施形態における、ＥＤＩ通信処理システムのメインメニュー画面を示す図である。
【図１５】本発明の実施形態における、ＥＤＩ通信処理システムの検索ロック対象設定画面を示す図である。
【図１６】本発明の実施形態における、ＥＤＩ通信処理システムの通信実行履歴画面を示す図である。
【図１７】本発明の実施形態における、ＥＤＩ通信処理システムの接続先一覧画面を示す図である。
【図１８】本発明の実施形態における、ＥＤＩ通信処理システムのリソース監視画面を示す図である。
【発明を実施するための形態】
【００１４】
以下、図面を参照して、本発明の実施形態を詳細に説明する。
【００１５】
図１は、本発明の実施形態におけるＥＤＩ通信処理システムの構成の一例を示すシステム構成図である。
【００１６】
図１において１０２は、ＥＤＩ通信処理システムの画面を操作するためのクライアントＰＣである。
【００１７】
１０３は、ＥＤＩ通信処理システムが配置されているサーバである。
【００１８】
１０１は、クライアントＰＣ１０２とサーバ１０３を接続しているＬＡＮである。
【００１９】
次に、図２を用いて、図１のクライアントＰＣ１０２、サーバ１０３に適用可能な情報処理装置のハードウェア構成について説明する。
【００２０】
ＣＰＵ２０１は、システムバス２０４に接続される各デバイスやコントローラを統括的に制御する。
【００２１】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００２２】
ＣＰＵ２０１は、処理の実行に際して必要なプログラム等をＲＡＭ２０３にロードして、プログラムを実行することで各種動作を実現するものである。
【００２３】
また、入力コントローラ（入力Ｃ）２０５は、キーボード２０９や不図示のマウス等のポインティングデバイスからの入力を制御する。
【００２４】
ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。本発明には直接関係があるものではない。
【００２５】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフレキシブルディスク或いはＰＣＭＣＩＡカードスロットにアダプタを介して接続されるフラッシュメモリ等の外部メモリ２１１へのアクセスを制御する。
【００２６】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２７】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２８】
本発明を実現するための後述する各種プログラムは外部メモリ２１１に記録されており、必要に応じてＲＡＭ２０３にロードされることによりＣＰＵ２０１によって実行されるものである。さらに、本発明に係わるプログラムが用い各種情報テーブル等も外部メモリ２１１に格納されており、これらについての詳細は後述する。
【００２９】
続いて、図３を用いて、本発明のＥＤＩ通信処理システムにおける機能構成の一例について説明する。
【００３０】
図３はＥＤＩ通信処理システムの機能構成図であり、ＥＤＩ通信処理システムは、クライアントＰＣ１０２、サーバ１０３からなる。
【００３１】
クライアントＰＣ１０２は、画面表示部３１１、画面操作受付部３１２からなる。
【００３２】
画面表示部３１１は、メインメニュー画面１６００や、通信実行履歴画面４００等の画面を表示する機能部であり、サーバ１０３から画面表示に必要なデータを取得して画面を表示する。なお、本実施例では、データ一覧、ボタンなどの表示や、それらのレイアウト等の表示制御は主にクライアントＰＣ１０２で実施する形態としているが、サーバ１０３にて画面データを生成し、画面表示部３１１は送信された画面データを表示するのみの構成としてもよい。
【００３３】
画面操作受付部３１２は、画面操作者が画面に対して実施した操作を受け付け、サーバ１０３に伝達する機能部であり、各種データの入力、選択操作や、各種ボタンの押下操作等を受け付け、その内容をサーバ１０３に送信する。例えば、検索条件の設定を有効化するために検索値ロックボタン４０２の押下操作を受け付け、逆に検索条件の設定を無効化するために検索値ロック解除ボタン５０２の押下操作を受け付けて、サーバ１０３に送信する。
【００３４】
サーバ１０３は、設定情報記憶部３２１、通信データ記憶部３２２、特定データ記憶部３２３、データ種別判定部３２４、有効／無効受付部３２５、検索条件設定部３２６、変更受付部３２７、検索実行部３２８からなる。
【００３５】
設定情報記憶部３２１は、結果ＩＤマスタ情報１２００、検索ロック対象マスタ情報１５００を記憶するデータベースまたは外部メモリであり、その内容は事前に登録される。検索ロック対象マスタ情報１５００は、検索ロック対象設定画面１８００を使用して登録され、検索画面において設定すべき検索条件項目を記憶する。
【００３６】
通信データ記憶部３２２は、ＥＤＩ通信の中で発生するデータを記憶するデータベースまたは外部メモリであり、通信実行履歴情報１７００や、各種検索画面で検索対象となるデータテーブルを構成として格納する。
【００３７】
特定データ記憶部３２３は、通信実行履歴画面４００において検索値ロック対象として選択された通信実行履歴を特定データとして、通信実行履歴情報１７００の対応するレコードデータを基に設定されたロック検索値情報１０００を格納する。
【００３８】
データ種別判定部３２４は、特定データのデータ種別を判定する機能部であり、特定データに対して、通信実行履歴情報１７００の全体結果、通信結果、ＡＰ結果を基に設定されたロック検索値情報１０００の処理結果をキーとして、結果ＩＤマスタ情報１２００から結果ＩＤを取得し、特定データのデータ種別を表す値とする。
【００３９】
有効／無効受付部３２５は、クライアントＰＣ１０２の画面操作受付部３１２による検索条件設定を有効化するか、または、無効化するかのボタン操作による指示を受け付け、その内容を検索条件設定部３２６に伝達する。
【００４０】
検索条件設定部３２６は、検索画面において、設定すべき検索条件項目を決定し、条件値を設定する機能部である。具体的処理としては、前記特定データのデータ種別を表す結果ＩＤと画面名をキーとして、検索ロック対象マスタ情報１５００から検索項目名を取得することにより設定すべき検索条件項目として決定し、検索画面において、決定された検索条件項目に対して、特定データに当たるロック検索値情報１０００の対応する項目の値を条件値として設定する。ただし、この条件値の設定は、有効／無効受付部３２５により有効化指示を受け付けた場合に実行し、無効化指示を受け付けた場合には実行しない。
【００４１】
変更受付部３２７は、検索画面において、検索条件項目に対する条件値の変更を受け付ける機能部である。変更を受け付ける検索条件項目は、検索条件設定部３２６にて設定された検索条件項目、および、設定されなかった検索条件項目のいずれでもよい。
【００４２】
検索実行部３２８は、検索画面において、検索条件設定部３２６によって設定された検索条件項目に対する条件値、および、変更受付部３２７によって変更を受け付けた検索条件項目に対する条件値の下で、通信データ記憶部３２２に格納された検索画面に対応するデータを検索し、結果をクライアントＰＣ１０２の画面表示部３１１に表示させる。
【００４３】
上記の他に、サーバ１０３は実際にＥＤＩ通信を実行するＥＤＩ通信部や通信のための設定登録部等（不図示）を備える。
【００４４】
続いて、クライアントＰＣ１０２、サーバ１０３の処理フローの一例について、図４〜図９を用いて説明する。
【００４５】
図４は、本発明の実施形態における、クライアントＰＣ１０２が、通信実行履歴画面で特定の通信実行履歴の追跡を指示し、サーバ１０３がその指示を受けて通信実行履歴画面で履歴追跡処理を実行する処理フローを示す図である。
【００４６】
本処理は、特定データとして１つの通信実行履歴を選択し、さらに同様の通信実行履歴が存在するかを検索し確認するために実行する。
【００４７】
ステップＳ７０１において、クライアントＰＣ１０２が、画面操作者の表示要求に応じて、ＥＤＩ通信処理システムの通信実行履歴画面４００を表示する。この際、画面操作者が検索条件を入力して検索結果を表示してもよいし、画面操作者のユーザＩＤに関連するデータを初期表示してもよい。
【００４８】
ステップＳ７０２において、クライアントＰＣ１０２で、ＥＤＩ通信処理システムの通信実行履歴画面４００の履歴追跡ボタン４０３が画面操作者により押下され、履歴が選択される。
【００４９】
ステップＳ７０３において、ＥＤＩ通信処理システムの通信実行履歴画面４００の検索条件欄４０１は、閉じた状態と開いた状態の２通りがある。検索条件欄４０１が閉じた状態の場合は、ステップＳ７０４に遷移する。検索条件欄４０１が開いた状態の場合は、ステップＳ７０５に遷移する。ステップＳ７０４に遷移する際は、クライアントＰＣ１０２からサーバ１０３に対して履歴追跡と検索欄を開く指示が送られる。ステップＳ７０５に遷移する際は、クライアントＰＣ１０２からサーバ１０３に対して履歴追跡の指示が送られる。通信実行履歴画面４００では、非表示の項目として履歴ＩＤを保持している。この履歴ＩＤがクライアントＰＣからサーバ１０３に対して送られる。
【００５０】
ステップＳ７０４において、サーバ１０３が、ＥＤＩ通信処理システムの通信実行履歴画面４００の検索条件欄４０１を開く処理を実施する。
【００５１】
ステップＳ７０５において、サーバ１０３が、履歴追跡ボタン４０３を押下された通信実行履歴の内容を図１７の通信実行履歴情報１７００から検索する。通信実行履歴情報１７００はＥＤＩ通信処理システムが通信を完了した際にその履歴を記録しておくテーブルであり、この内容が通信実行履歴画面４００に表示されている。サーバ１０３は、クライアントＰＣ１０２から受け取った履歴ＩＤを通信実行履歴情報１７００の履歴ＩＤ１７０１と比較してレコードを検索する。検索して取得した通信実行履歴の全体結果１７１６の値が「正常」である場合は、ステップＳ７０６に遷移する。全体結果１７１６の値が「正常」以外である場合は、ステップＳ７０７に遷移する。
【００５２】
ステップＳ７０６において、サーバ１０３が、通信実行履歴画面４００の検索条件項目の処理結果４０４のプルダウンの値に「正常」にセットする。
【００５３】
ステップＳ７０７において、検索して取得した通信実行履歴の通信実行履歴情報１７００の全体結果１７１６の値が「通信異常」である場合は、ステップＳ７０８に遷移する。全体結果１７１６の値が「通信異常」以外である場合は、ステップＳ７０９に遷移する。なお、全体結果が「正常」でない場合は、通信異常と通信後処理アプリケーション異常の２通りがある。全体結果１７１６の値が「通信異常」である場合は、通信異常、「通信異常」以外である場合は通信後処理アプリケーション異常を意味する。
【００５４】
ステップＳ７０８において、サーバ１０３が、通信実行履歴画面４００の処理結果４０５に、通信実行履歴情報１７００の通信結果１７１７の値をセットする。
【００５５】
ステップＳ７０９において、サーバ１０３が、通信実行履歴画面４００の処理結果４０４のプルダウンの値に「異常」をセットする。
【００５６】
ステップＳ７１０において、サーバ１０３が、通信実行履歴画面４００のモード４０６に通信実行履歴情報１７００のモード１７０２の値をセットする。接続先名４０７に通信実行履歴情報１７００の接続先名１７０３の値をセットする。ユーザグループ４０８に通信実行履歴情報１７００のユーザグループ１７０７の値をセットする。ノード名４０９に通信実行履歴情報１７００のノード名１７０８の値をセットする。ユーザＩＤ４１０に通信実行履歴情報１７００のユーザＩＤ１７１０の値をセットする。ファイル名４１１に通信実行履歴情報１７００のファイル名１７０４の値をセットする。発着信４１２に通信実行履歴情報１７００の発着信１７０５の値をセットする。プロトコル４１３に通信実行履歴情報１７００のプロトコル１７０６の値をセットする。通信ポート名４１４に通信実行履歴情報１７００の通信ポート名１７０９の値をセットする。
【００５７】
ステップＳ７１１において、サーバ１０３が、検索条件項目にセットした値で通信実行履歴情報１７００の検索処理を実行し、結果をクライアントＰＣ１０２に返す。
【００５８】
ステップＳ７１２において、クライアントＰＣ１０２が、サーバ１０３から受け取った検索結果を通信実行履歴画面４００に表示する。
【００５９】
次に、図５の処理について説明を行う。図５は、本発明の実施形態における、クライアントＰＣ１０２が、通信実行履歴画面４００で検索値ロックを指示し、サーバ１０３がその指示を受けてロック処理を実行する処理フローを示す図である。
【００６０】
本処理は、通信実行履歴画面４００において、特定データとして１つの通信実行履歴の選択を受け付け、検索値ロックボタン４０２の押下を受け付けることにより、検索条件設定の有効化指示を受け付ける。選択された通信実行履歴の各項目の値をロック検索値情報１０００として記録し、さらに、ロック検索値情報１０００の処理結果１００８により結果ＩＤマスタ情報１２００から結果ＩＤ１０１３を特定データのデータ種別を表す値として取得し記録する。
【００６１】
ステップＳ８０１において、クライアントＰＣ１０２が、ＥＤＩ通信処理システムの通信実行履歴画面４００を検索値がロックされていない状態で表示した状態にある。
【００６２】
ステップＳ８０２において、クライアントＰＣ１０２で、ＥＤＩ通信処理システムの通信実行履歴画面４００の検索値ロックボタン４０２を画面操作者により押下される。
【００６３】
ステップＳ８０３において、クライアントＰＣ１０２からサーバ１０３に対して検索値をロックする指示と検索値が送られる。サーバ１０３はロック検索値情報１０００に検索値を登録する。ロック検索値情報１０００は、検索値ロック状態にある時に、各画面の検索項目に設定する値を記録しておくテーブルである。
【００６４】
本実施例では、複数のユーザが同時に使用することを考慮し、ユーザ１０１４に画面操作者のユーザＩＤを設定することにより、このテーブルに画面操作者のユーザＩＤを持つレコードがあることが、検索値ロック状態であることを示し、このテーブルにレコードがないことが、検索値ロック状態でないことを示す。
【００６５】
サーバ１０３が、ロック検索値情報１０００のモード１００１に通信実行履歴画面４００のモード４０６の値をセットする。ロック検索値情報１０００の接続先名１００２に通信実行履歴画面４００の接続先名４０７の値をセットする。ロック検索値情報１０００のファイル名１００３に通信実行履歴画面４００のファイル名４１１の値をセットする。ロック検索値情報１０００の発着信１００４に通信実行履歴画面４００の発着信４１２の値をセットする。ロック検索値情報１０００のプロトコル１００５に通信実行履歴画面４００のプロトコル４１３の値をセットする。ロック検索値情報１０００のユーザグループ１００６に通信実行履歴画面４００のユーザグループ４０８の値をセットする。ロック検索値情報１０００のノード名１００７に通信実行履歴画面４００のノード名４０９の値をセットする。ロック検索値情報１０００のユーザＩＤ１００９に通信実行履歴画面４００のユーザＩＤ４１０の値をセットする。ロック検索値情報１０００の通信ポート名１０１０に通信実行履歴画面４００の通信ポート名４１４の値をセットする。ロック検索値情報１０００の通信開始日時１０１１に通信実行履歴画面４００の通信開始日時４１５の値をセットする。ロック検索値情報１０００の通信終了日時１０１２に通信実行履歴画面４００の通信終了日時４１６の値をセットする。
【００６６】
本処理では、通信実行履歴画面４００の検索条件の値からロック検索値情報１０００の値をセットしているが、選択された通信実行履歴に対応する通信実行履歴情報１７００から直接セットしてもよい。
【００６７】
ステップＳ８０４において、通信実行履歴画面４００の処理結果４０４の値が「正常」である場合は、ステップＳ８０５に遷移する。処理結果４０４の値が「正常」以外である場合は、ステップＳ８０６に遷移する。
【００６８】
ステップＳ８０５において、サーバ１０３が、ロック検索値情報１０００の処理結果１００８に通信実行履歴画面４００の処理結果４０４の値をセットする。
【００６９】
ステップＳ８０６において、通信実行履歴画面４００の処理結果４０５の値が空欄でない場合は、ステップＳ８０７に遷移する。処理結果４０５の値が空欄である場合は、ステップＳ８０８に遷移する。
【００７０】
ステップＳ８０７において、サーバ１０３が、ロック検索値情報１０００の処理結果１００８に通信実行履歴画面４００の処理結果４０５の値をセットする。
【００７１】
ステップＳ８０８において、サーバ１０３が、ロック検索値情報１０００の処理結果１００８に「後処理異常」をセットする。
【００７２】
ステップＳ８０９において、サーバ１０３が、結果ＩＤマスタ情報１２００から結果ＩＤを取得する。結果ＩＤマスタ情報１２００は、処理結果内容と、その処理結果内容を識別する結果ＩＤを保持するテーブルである。テーブルの内容はＥＤＩ通信処理システムのマスタ情報であり、ＥＤＩ通信処理システムにより書き換えられることはない。
【００７３】
サーバ１０３が、ロック検索値情報１０００の処理結果１００８と結果ＩＤマスタ情報１２００の結果内容１２０１を比較してレコードを検索する。検索して取得した結果ＩＤ１２０２をロック検索値情報１０００の結果ＩＤ１０１３にセットする。
【００７４】
ステップＳ８１０において、クライアントＰＣ１０２が、通信実行履歴画面４００の検索値ロックボタン４０２のラベルを「検索値をロック」から「検索値ロック解除」に変更する。
【００７５】
次に、図６、図７、図８の処理について説明を行う。図６、図７、図８は一連の処理フローを示し、本発明の実施形態における、クライアントＰＣ１０２が、検索機能のある任意の画面を表示する際に、検索値がロックされている状態の時はそのロック値で検索済みの状態で画面を表示する処理フローを示す図である。
【００７６】
本処理は、検索条件設定の有効化が指示されている場合に、特定データである選択された１つの通信実行履歴に対し、そのデータの種別を表すロック検索値情報１０００に記録された結果ＩＤ１０１３と、画面名とをキーとして、検索ロック対象マスタ情報１５００から設定すべき検索条件項目を取得し、取得された検索条件項目に対し、特定データの項目値であるロック検索値情報１０００の対応する項目の値を条件値として設定し、検索を実行する。
【００７７】
ステップＳ９０１において、クライアントＰＣ１０２で、任意の一覧画面へ遷移するリンクやボタンなどが画面操作者により押下される。任意の一覧画面へ遷移するリンクやボタンの一例は、図１４に示すメインメニュー画面１６００の各メニューリンクなどである。
【００７８】
ステップＳ９０２において、クライアントＰＣ１０２からサーバ１０３に対して遷移先の画面名が送られる。
【００７９】
ステップＳ９０３において、サーバ１０３はロック検索値情報１０００を検索する。
【００８０】
ステップＳ９０４において、ロック検索値情報１０００にレコードが存在する場合は、ステップＳ９０５に遷移する。レコードが存在しない場合は、ステップＳ９１４に遷移する。ステップＳ９１４の処理については後述する。
【００８１】
ステップＳ９０５において、サーバ１０３は、検索ロック対象マスタ情報１５００をロック検索値情報１０００の処理ＩＤ１３０３の値と遷移先画面名の値で検索する。検索ロック対象マスタ情報１５００は、結果ＩＤ・画面ごとに、何の検索項目をロック対象とするかを保持しているテーブルである。
【００８２】
検索結果が０件以上の場合は、その画面がロック対象の検索項目を有していることを意味し、各レコードの検索項目名１５０３がその画面の検索項目である。
【００８３】
ステップＳ９０６において、検索結果が０件以上の場合は、ステップＳ９０７に遷移する。検索結果が０件の場合は、ステップＳ９１４に遷移する。ステップＳ９１４の処理については後述する。
【００８４】
ステップＳ９０７において、サーバ１０３は、検索ロック対象マスタ情報１５００を検索して取得した複数の検索項目名１５０３のうち１つの処理を行う。
【００８５】
ステップＳ９０８において、検索項目名１５０３が「処理結果」の場合は、ステップＳ９０９に遷移する。検索項目名が「処理結果」でない場合は、ステップＳ９１１に遷移する。ステップＳ９１１の処理については後述する。
【００８６】
ステップＳ９０９において、ロック検索値情報１０００の処理結果１００８の値が「正常」の場合は、ステップＳ９１１に遷移する。処理結果１００８の値が「正常」でない場合は、ステップＳ９１０に遷移する。
【００８７】
処理結果を検索条件として持っている画面には、処理結果の検索値として「正常」か「異常」しかセットできない画面と、処理結果内容がセットできる画面がある。ステップＳ９１０において、遷移先画面が処理結果の検索値として「正常」か「異常」しかセットできない画面の場合は、ステップＳ９１２に遷移する。遷移先画面が処理結果の検索値として処理結果内容がセットできる画面の場合は、ステップＳ９１１に遷移する。
【００８８】
ステップＳ９１１において、サーバ１０３は、検索項目名１５０３に対応する遷移先画面の検索項目に、ロック検索値情報１０００の同じ項目名の値をセットする。
【００８９】
ステップＳ９１２において、サーバ１０３は、検索項目名１５０３に対応する遷移先画面の件検索項目に「異常」をセットする。
【００９０】
ステップＳ９１３において、検索ロック対象マスタ情報１５００を検索して取得した複数の検索項目名１５０３がまだほかにもある場合は、再度ステップＳ９０７に遷移する。もう存在しない場合は、ステップＳ９１４に遷移する。
【００９１】
ステップＳ９１４において、サーバ１０３は、セットした検索条件で遷移先画面の検索処理を実行し、検索結果と、検索値がロックされているかどうかをクライアントＰＣ１０２に返す。
【００９２】
ステップＳ９１５において、検索値がロックされている場合、ステップＳ９１６に遷移する。検索値がロックされていない場合、ステップＳ９１９に遷移する。ステップＳ９１９の処理については後述する。
【００９３】
ステップＳ９１６において、遷移先画面が通信実行履歴画面４００の場合、ステップＳ９１７に遷移する。通信実行履歴画面４００以外の場合、ステップＳ９１８に遷移する。
【００９４】
ステップＳ９１７において、クライアントＰＣ１０２は、通信実行履歴画面４００の検索条件欄の検索値ロックボタン４０２のラベルを「検索値ロック解除」にする。
【００９５】
ステップＳ９１８において、クライアントＰＣ１０２は、任意の画面の検索条件欄の検索値ロック解除ボタンの表示を活性にする。任意の画面での例を、接続先一覧画面５００の検索値ロック解除ボタン５０２、リソース監視画面６００の検索値ロック解除ボタン６０２に示す。
【００９６】
ステップＳ９１９において、遷移先画面が通信実行履歴画面４００の場合、ステップＳ９２０に遷移する。通信実行履歴画面４００以外の場合、ステップＳ９２１に遷移する。
【００９７】
ステップＳ９２０において、クライアントＰＣ１０２は、通信実行履歴画面４００の検索条件欄の検索値ロックボタン４０２のラベルを「検索値をロック」にする。
【００９８】
ステップＳ９２１において、クライアントＰＣ１０２は、任意の画面の検索条件欄の検索値ロック解除ボタンの非表示を活性にする。任意の画面での例を、接続先一覧画面５００の検索値ロック解除ボタン５０２、リソース監視画面６００の検索値ロック解除ボタン６０２に示す。
【００９９】
ステップＳ９２２において、クライアントＰＣ１０２は、遷移先画面の一覧部分に検索結果を表示する。
【０１００】
なお、本実施例では、検索条件が自動設定され、検索まで連動して実行される形態を説明したが、検索条件の自動設定後、画面操作者から検索条件の変更を受け付け、「検索」ボタンの押下を受け付けることにより検索を実行する形態としてもよく、また、画面ごとの処理形態を事前設定できるようにしてもよい。
【０１０１】
次に、図９の処理について説明を行う。図９は、本発明の実施形態における、クライアントＰＣ１０２が、任意の画面で検索値ロックを解除指示し、サーバ１０３がその指示を受けてロック解除処理を実行する処理フローを示す図である。
【０１０２】
本処理は、各画面において、検索値ロック解除ボタン（５０２、６０２など）の押下を受け付けることにより、検索条件設定の無効化の指示を受け付ける。
【０１０３】
ステップＳ１１０１において、クライアントＰＣ１０２で、任意の一覧画面が検索値ロック状態で表示される。
【０１０４】
ステップＳ１１０２において、クライアントＰＣ１０２で、任意の一覧画面の検索値ロック解除ボタン（例えば５０２）が画面操作者により押下される。
【０１０５】
ステップＳ１１０３において、クライアントＰＣ１０２からサーバ１０３に対して検索値をロック解除する指示が送られる。サーバ１０３はロック検索値情報１０００の画面操作者のユーザＩＤに対応するレコードを削除する。
【０１０６】
ステップＳ１１０４において、サーバ１０３は検索値ロックが解除された状態で、検索を実行する。ただし本フローの目的は検索値ロックを解除することであるので、本検索実行は省いてもよい。
【０１０７】
ステップＳ１１０５において、クライアントＰＣ１０２は、表示している画面が通信実行履歴一覧かどうかをチェックする。通信実行履歴一覧以外の画面の場合、ステップＳ１１０６に遷移し、通信実行履歴一覧の場合、ステップＳ１１０７に遷移する。
【０１０８】
ステップＳ１１０６において、クライアントＰＣ１０２は、検索条件欄の「検索値ロック解除」ボタンの表示を非活性にする。これにより、現在、検索値ロックが解除された状態であることを確認することができる。
【０１０９】
ステップＳ１１０７において、クライアントＰＣ１０２は、通信実行履歴画面４００の検索値ロックボタン４０２のラベルを「検索値をロック解除」から「検索値ロック」に変更する。
【０１１０】
なお本実施例ではステップＳ１１０３において該当レコードを削除しているが、レコードを削除せずに削除区分を付与することにより該当レコードが無効であることを表してもよい。この場合、再度検索値ロックの指示がされた場合、削除区分を解除するだけで再有効化することができ、新たに通信実行履歴が選択されて検索値ロックが実行されるまで該当レコードは保持される。
【０１１１】
上記の通り、本実施例の処理フローでは、クライアントＰＣ１０２とサーバ１０３との処理の切り分けの一例として説明したが、クライアントＰＣ１０２に必要データを全て取り込んでクライアントＰＣ１０２にて全ての処理を実行してもよいし、サーバ１０３にて画面関連以外の処理を実行し、クライアントＰＣ１０２では画面を表示し操作を受け付けるだけの形態としてもよい。また、サーバ側で画面関連を含む全ての処理を実施する形態としてもよい。
【０１１２】
次に、図１０から図１３を用いて、本発明の実施形態における、データテーブルの構成の一例について説明する。
【０１１３】
図１０は、通信実行履歴情報１７００のデータ構成の一例を示す。
【０１１４】
通信実行履歴情報１７００から１つのレコードが特定データとして選択される。
【０１１５】
通信実行履歴情報１７００は、ＥＤＩ通信処理システムが通信処理を実行するたびに履歴情報として登録され、通信実行履歴画面４００を表示する際の元データとなる。
【０１１６】
通信実行履歴情報１７００は、履歴ＩＤ１７０１、モード１７０２、接続先名１７０３、ファイル名１７０４、発着信１７０５、プロトコル１７０６、等の項目で構成される。履歴ＩＤ１７０１は各レコードを表すキー項目である。モード１７０２以下の情報は、通信の種類や実行状況を表す項目である。
【０１１７】
図１１は、ロック検索値情報１０００のデータ構成の一例を示す。
【０１１８】
ロック検索値情報１０００は、特定データとして選択された通信実行履歴情報１７００の１つのレコードに基づいて設定する。つまり、ロック検索値情報１０００の各項目が特定データの各項目に当たる。さらに、特定データのデータ種別として、結果ＩＤ１０１３が付加される。
【０１１９】
ロック検索値情報１０００は、通信実行履歴情報１７００の項目のうち、各画面の検索条件として設定される項目により構成される。
【０１２０】
項目の例としては、モード１００１、接続先名１００２、ファイル名１００３、発着信１００４、プロトコル１００５、等の項目がある。さらに、追加で設定される項目として、結果ＩＤ１０１３があり、本項目は処理結果１００８の値をもとに、結果ＩＤマスタ情報１２００を検索し設定される。
【０１２１】
図１２は、結果ＩＤマスタ情報１２００のデータ構成の一例を示す。
【０１２２】
結果ＩＤマスタ情報１２００は、特定データのデータ種別である結果ＩＤを判定するために使用するテーブルである。
【０１２３】
結果ＩＤマスタ情報１２００は、結果内容１２０１、結果ＩＤ１２０２にて構成され、ロック検索値情報１０００の処理結果１００８を結果内容１２０１と照合することにより、結果ＩＤ１２０２の値を取得することができる。
【０１２４】
図１３は、検索ロック対象マスタ情報１５００のデータ構成の一例を示す。
【０１２５】
検索ロック対象マスタ情報１５００は、特定データのデータ種別である結果ＩＤに対応付けて、画面名で表される検索画面にて設定すべき検索条件項目を決定するためのテーブルである。また、検索ロック対象マスタ情報１５００はユーザごとに設定することもできる。
【０１２６】
検索ロック対象マスタ情報１５００は、ユーザ１５０４、結果ＩＤ１５０１、画面名１５０２、検索項目名１５０３から構成され、ユーザ１５０４、結果ＩＤ１５０１、画面名１５０２を基に、検索項目名１５０３を取得することができる。つまり、画面操作者のユーザＩＤがユーザ１５０４に一致し、通信処理の結果である結果ＩＤ１５０１により、画面名１５０２で表される画面を呼び出す際に、検索項目名１５０３で表される検索条件項目に、ロック検索値情報１０００の該当する項目の値をセットする。また、画面操作者により設定を分けず、共通で設定する場合にはユーザ１５０４をブランクにすればよい。
【０１２７】
検索ロック対象マスタ情報１５００は、後述する検索ロック対象設定画面１８００を用いて設定する。
【０１２８】
本実施例では、ロック検索値情報１０００の項目名と、各種画面の検索条件項目の項目名が一致することを前提としているが、もし同一の項目であっても項目名が異なる場合には、検索ロック対象マスタ情報１５００に双方の項目名を設定することにより対応関係を認識可能となる。
【０１２９】
次に図１４から図１８を用いて、本発明の実施形態における、画面の構成の一例について説明する。
【０１３０】
図１４は、メインメニュー画面１６００の画面イメージを示す。メインメニュー画面１６００は、画面操作者がシステムにログインすると、最初に表示される画面である。
【０１３１】
メインメニュー画面１６００は、各種画面へのリンク１６０１により構成されており、各リンクは、状況照会、履歴照会などの機能グループ別に表示される。１つのリンクを押下することにより、該当する画面を表示する。
【０１３２】
図１５は、検索ロック対象設定画面１８００の画面イメージを示す。検索ロック対象設定画面１８００は、検索ロック対象マスタ情報１５００を設定するための画面であり、ユーザ選択部１８０１、結果ＩＤ選択部１８０２、画面名選択部１８０３、検索項目名選択部１８０４、登録ボタン１８０５、削除ボタン１８０６、キャンセルボタン１８０７にて構成される。
【０１３３】
ユーザ選択部１８０１は、画面操作者のユーザＩＤと共通とが選択でき、画面操作者独自の設定とするか、ユーザ共通の設定とするかを選択する。なお双方の設定が存在する場合は、画面操作者独自の設定が優先される。
【０１３４】
結果ＩＤ選択部１８０２は、結果ＩＤマスタ情報１２００に登録された結果ＩＤから１つを選択する。
【０１３５】
画面名選択部１８０３は、表示可能な画面名の一覧から１つを選択する。
【０１３６】
画面名選択部１８０３で画面名を１つ選択すると、当該画面で検索条件として表示される検索項目名の一覧が、検索項目名選択部１８０４に表示され、上記で選択されたユーザＩＤ、結果ＩＤに従って、検索ロック対象マスタ情報１５００の設定内容をチェックボタンで表示する。具体的には、検索ロック対象マスタ情報１５００に登録されている項目はチェックあり、登録されていない項目はチェックなし、通信実行履歴情報１７００またはロック検索値情報１０００に項目として存在しないため登録できない項目は網掛けにて表示される。
【０１３７】
画面操作者は、検索項目名選択部１８０４から、検索値としてロック、または、ロック解除する項目を、チェックボックスでチェックあり、または、チェックなしとして設定し、登録ボタン１８０５を押下することにより設定内容が検索ロック対象マスタ情報１５００に登録される。また、ユーザＩＤ、結果ＩＤ、画面名を選択した状態で削除ボタン１８０６を押下することにより該当するデータが検索ロック対象マスタ情報１５００から削除される。また、キャンセルボタン１８０７を押下することにより１７００を更新することなく前の画面に戻る。
【０１３８】
図１６は、通信実行履歴画面４００の画面イメージを示す。
【０１３９】
通信実行履歴画面４００は、各種検索条件設定部４０４〜４１６、検索結果表示部、検索条件欄４０１、検索値をロックボタン４０２、履歴追跡ボタン４０３、等から構成される。検索結果表示部には、設定された検索条件に応じて、通信実行履歴情報１７００の内容が表示される。各ボタンの機能については、前述の処理フローの中で説明しているので説明を省略する。
【０１４０】
図１７は、接続先一覧画面５００の画面イメージを示す。
【０１４１】
接続先一覧画面５００は、検索条件設定部５０１、検索結果表示部、検索値ロック解除ボタン５０２、等から構成される。
【０１４２】
検索条件設定部５０１では、検索ロック対象マスタ情報１５００にて、ユーザが「ＵＳＥＲ０００１」，結果ＩＤが「０００１」、画面名が「接続先一覧」のデータを検索することにより検索項目名「接続先名」が得られ、ロック検索値情報１０００の同項目の値「仕入先Ａ社」が初期設定される。検索結果表示部には、設定された検索条件に応じて検索結果が表示される。検索値ロック解除ボタン５０２の機能については、前述の処理フローの中で説明しているので説明を省略する。
【０１４３】
図１８は、リソース監視画面６００の画面イメージを示す。
【０１４４】
リソース監視画面６００は、検索条件設定部６０１、検索結果表示部、検索値ロック解除ボタン６０２、等から構成される。
【０１４５】
検索条件設定部６０１では、検索ロック対象マスタ情報１５００にて、ユーザが「ＵＳＥＲ０００１」，結果ＩＤが「０００１」、画面名が「リソース監視」のデータを検索することにより検索項目名「通信ポート名」と「ノード名」が得られ、ロック検索値情報１０００の同項目の値「アナログ発信ポート」と「管理サーバ」が初期設定される。検索結果表示部には、設定された検索条件に応じて検索結果が表示される。検索値ロック解除ボタン５０２の機能については、前述の処理フローの中で説明しているので説明を省略する。
【０１４６】
以上、本発明についてＥＤＩ通信処理システムを例に挙げて説明したが、装置、方法、プログラム、もしくは記録媒体の形態とすることもできる。具体的には、複数の機器から構成されるシステムに適用しても良いし、また、一つの機器からなる装置に適用してもよい。
【０１４７】
また、本発明におけるプログラムは、図４、図５、図６〜図８、図９の処理をコンピュータに実行させるプログラムである。なお、本発明におけるプログラムは、図４、図５、図６〜図８、図９の各処理ごとのプログラムであってもよい。
【０１４８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１４９】
この場合、記録媒体から読み出されたプログラム自体が本発明の新規な機能を実現することになり、そのプログラムを記録した記録媒体は本発明を構成することになる。
【０１５０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１５１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５３】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１５５】
１０１    ＬＡＮ
１０２    クライアントＰＣ
１０３    サーバ
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    入力装置
２１０    ディスプレイ装置
２１１    外部メモリ
【図１】
0006493072.tif 000002
【図２】
0006493072.tif 000003
【図３】
0006493072.tif 000004
【図４】
0006493072.tif 000005
【図５】
0006493072.tif 000006
【図６】
0006493072.tif 000007
【図７】
0006493072.tif 000008
【図８】
0006493072.tif 000009
【図９】
0006493072.tif 000010
【図１０】
0006493072.tif 000011
【図１１】
0006493072.tif 000012
【図１２】
0006493072.tif 000013
【図１３】
0006493072.tif 000014
【図１４】
0006493072.tif 000015
【図１５】
0006493072.tif 000016
【図１６】
0006493072.tif 000017
【図１７】
0006493072.tif 000018
【図１８】
0006493072.tif 000019